(57)【特許請求の範囲】
【請求項１】
ＬＥＤと、
前記ＬＥＤの少なくとも基端部を収容するハウジングと、
前記ＬＥＤの少なくとも頭部が挿通する挿通孔が形成され、前記ハウジングに装着されることで前記ＬＥＤの前記ハウジングに対する角度位置を設定位置にするキャップと、
を備え、
前記ハウジングが細長状であり、
前記ハウジングには長手方向に沿ったハウジング角部が形成され、
前記ハウジング角部が切り欠かれることによって切欠が形成され、
前記ＬＥＤが前記切欠に沿って一列に複数配置されている、発光ユニット。
【請求項２】
隣り合う前記ＬＥＤの間が前記キャップによって覆われている、請求項１に記載の発光ユニット。
【請求項３】
前記キャップが、前記切欠に差し込まれて係合する係合部を有する、請求項１又は２に記載の発光ユニット。
【請求項４】
前記ＬＥＤが接続され前記ハウジング内に挿入される基板が設けられ、
前記キャップは、前記ハウジングの厚みに相当する隙間が形成された係合部を備えており、
前記基板に前記キャップを取付けた基板・キャップ取付体を前記ハウジングに長手方向端部から差し込むことで、前記キャップが前記切欠に係合している、請求項１又は２に記載の発光ユニット。
【請求項５】
前記キャップが、前記挿通孔側に延び出す庇を有する、請求項１〜４のうち何れか１項に記載の発光ユニット。
【請求項６】
請求項１〜５のうち何れか１項に記載の発光ユニットが配列された電光表示板。
【請求項７】
請求項６に記載の電光表示板と、
前記発光ユニットに設けられた各ＬＥＤの点滅を制御する制御手段と、
を備えた、電光表示装置。
【発明の詳細な説明】
【技術分野】
【０００１】
本発明は、ＬＥＤが配置された発光ユニット、電光表示板、及び、電光表示装置に関する。
【背景技術】
【０００２】
道路のガードレール横などに配置される看板は、車の走行性や人間の歩行性などを考慮すると、道路進行方向に対する横幅が小さいほうが好ましい。このため、特許文献１では、道路進行方向に対して傾斜するように、ＬＥＤを配列した電光表示板を設置することが提案されている。
【０００３】
この特許文献１では、ＬＥＤをハウジングに一列に配置してなる発光ユニットを複数本並べて電光表示板を形成している。そして、ＬＥＤの光の指向性を利用して、電光表示板に対する道路遠方の車両には強い光が放射されるようにＬＥＤの向きを予め設定している。このように設定することで、電光表示板に近づいた車両には、弱い光であるがＬＥＤ側方から広い発光面積で光（漏れ光）が放散される。従って、道路遠方の車両にも道路に近づいた車両にもＬＥＤ光による表示を効率的に認識させることができ、視認範囲が広くなっている。
【先行技術文献】
【特許文献】
【０００４】
【特許文献１】特開２００８−１９１６４１号公報
【発明の概要】
【発明が解決しようとする課題】
【０００５】
ところで、このような電光表示板では、ＬＥＤを配置する際にＬＥＤの向きを設定方向に向けて配置することが重要である。そして、ＬＥＤの向きを設定方向とすることを短時間で簡単に行うことができると好ましい。
本発明は、上記事実を考慮して、ハウジングに対するＬＥＤの角度位置を短時間で簡単に設定位置とすることができる発光ユニット、電光表示板、及び、電光表示装置を提供することを課題とする。
【課題を解決するための手段】
【０００６】
請求項１に記載の発明は、ＬＥＤと、前記ＬＥＤの少なくとも基端部を収容するハウジングと、前記ＬＥＤの少なくとも頭部が挿通する挿通孔が形成され、前記ハウジングに装着されることで前記ＬＥＤの前記ハウジングに対する角度位置を設定位置にするキャップと、を備え、前記ハウジングが細長状であり、前記ハウジングには長手方向に沿ったハウジング角部が形成され、前記ハウジング角部が切り欠かれることによって切欠が形成され、前記ＬＥＤが前記切欠に沿って一列に複数配置されている。
請求項１に記載の発明では、キャップを装着することで、ハウジングに対するＬＥＤの角度位置が設定位置とされる。従って、ハウジングに対するＬＥＤの角度位置を短時間で簡単に設定位置とすることができる。また、ハウジング角部を跨って切欠が形成され、この切欠からＬＥＤ光が発光される。従って、ハウジング角部の両側のハウジング壁面やキャップ部分で光の放散角度範囲を限定することが可能である。
【０００９】
請求項２に記載の発明は、隣り合う前記ＬＥＤの間が前記キャップによって覆われている。
これにより、直射日光が隣り合うＬＥＤの間を構成する部材に照射されることが、庇によって防御される。従って、ＬＥＤ及びその周囲の部材の耐久性を高めることができる。このことは、ＬＥＤの周囲の部材が樹脂で形成されている場合に、樹脂の耐久性を高める上で特に有効である。
【００１０】
請求項３に記載の発明は、前記キャップが、前記切欠に差し込まれて係合する係合部を有する。
請求項３に記載の発明では、キャップの係合部を切欠に差し込むことで、短時間で簡単にキャップをハウジングに装着することができる。
【００１１】
請求項４に記載の発明は、前記ＬＥＤが接続され前記ハウジング内に挿入される基板が設けられ、前記キャップは、前記ハウジングの厚みに相当する隙間が形成された係合部を備えており、前記基板に前記キャップを取付けた基板・キャップ取付体を前記ハウジングに長手方向端部から差し込むことで、前記キャップが前記切欠に係合している。
請求項４に記載の発明では、基板にキャップを取付けて基板・キャップ取付体を形成し、この基板・キャップ取付体の長手方向端部をハウジング長手方向端部に近づけ、上記の隙間にハウジング切欠形成部を挿通させることで、基板をハウジング内側に、キャップをハウジング外側に位置させる。これにより、短時間で簡単に、キャップと、ＬＥＤが接続された基板とをハウジングに取付けることができる。
【００１２】
請求項５に記載の発明は、前記キャップが、前記挿通孔側に延び出す庇を有する。
請求項５に記載の発明では、庇によってＬＥＤ光の放散角度範囲を設定範囲にすることができる。
【００１３】
請求項６に記載の発明は、請求項１〜５のうち何れか１項に記載の発光ユニットが配列されている電光表示板である。
配列方向は特に限定せず、電光表示板の長手方向と発光ユニットの長手方向とが平行であるように配列されてもよいし、直交するように配列されていてもよい。
【００１４】
請求項７に記載の発明は、請求項６に記載の電光表示板と、前記発光ユニットに設けられた各ＬＥＤの点滅を制御する制御手段と、を備えている。
請求項７に記載の発明では、各ＬＥＤの点滅制御を行うことにより、文字等を表示する電光表示装置とすることができる。
【発明の効果】
【００１５】
本発明によれば、ハウジングに対するＬＥＤの角度位置を短時間で簡単に設定位置とすることができる発光ユニット、電光表示板、及び、電光表示装置が実現される。
【図面の簡単な説明】
【００１６】
【図１】第１実施形態に係る電光表示板が通路に沿って通路横に設置されている例を説明する模式的な平面図である。
【図２】第１実施形態に係る電光表示装置の構成を示す斜視図である。
【図３】第１実施形態に係る発光ユニットの側面断面図である。
【図４】第１実施形態に係る発光ユニットを組み立てることを示す説明図である。
【図５】第１実施形態に係る電光表示板で、電光表示板の通路一方向及び通路他方向から、電光表示板の遠方位置でも近接位置でも表示内容を視認できる原理を説明する説明図である。
【図６】図６（Ａ）及び（Ｂ）は、何れも第１実施形態に係る発光ユニットの変形例の側面断面図である。
【図７】第２実施形態に係る発光ユニットを組み立てることを示す説明図である。
【図８】第２実施形態に係る発光ユニットの部分側面断面図である。
【図９】第３実施形態に係る発光ユニットの側面断面図である。
【図１０】第４実施形態に係る発光ユニットの側面断面図である。
【図１１】図１１（Ａ）から（Ｃ）は、それぞれ、第４実施形態に係る発光ユニットを組み立てる過程を説明する説明図である。
【図１２】第５実施形態に係る発光ユニットの側面断面図である。
【図１３】第５実施形態に係る発光ユニットの変形例の側面断面図である。
【図１４】第５実施形態に係る発光ユニットの変形例の側面断面図である。
【図１５】第５実施形態に係る発光ユニットの変形例の側面断面図である。
【図１６】第５実施形態に係る発光ユニットの変形例の側面断面図である。
【図１７】第６実施形態に係る発光ユニットの側面断面図である。
【図１８】第６実施形態に係る発光ユニットの変形例の側面断面図である。
【図１９】第７実施形態に係る発光ユニットの側面断面図である。
【図２０】第８実施形態に係る発光ユニットの側面図である。
【図２１】図２１（Ａ）及び（Ｂ）は、何れも、第８実施形態に係る発光ユニットを構成するキャップの斜視図である。
【図２２】第８実施形態に係る発光ユニットの部分拡大斜視断面図である。
【図２３】第８実施形態に係る発光ユニットの変形例を示す側面図である。
【図２４】第８実施形態に係る発光ユニットの変形例を示すキャップの斜視図である。
【図２５】図２５（Ａ）から（Ｇ）は、第９実施形態で電光表示板を組み立てる工程を説明する斜視図である。
【図２６】第９実施形態で組み立てられた電光表示板の部分拡大図である（組立構造を解り易くするために、外フレーム等の図示を省略）。
【図２７】第９実施形態で組み立てられた電光表示板の部分拡大図である（組立構造を解り易くするために、枠部材等の図示を省略）
【図２８】第９実施形態で、発光ユニットの変形例を示す部分斜視図である。
【図２９】第１０実施形態に係る発光ユニットの側面図である（構造の特徴を強調するために、ＬＥＤ等の図示を省略）。
【図３０】第１１実施形態に係る発光ユニットの側面図である（構造の特徴を強調するために、ＬＥＤ等の図示を省略）。
【発明を実施するための形態】
【００１７】
以下、実施形態を挙げ、本発明の実施の形態について説明する。なお、第２実施形態以下では、既に説明した構成要素と同様のものには同じ符号を付して、その説明を省略する。また、以下に記載される一方向発光ユニットと他方向発光ユニットとは同様の構成であり、また、一方向発光ユニットを構成する第１ハウジングと他方向発光ユニットを構成する第２ハウジングとは同様の構成であるので、他方向発光ユニット及び第２ハウジングの説明については簡略に、又は省略して、記載する。
【００１８】
［第１実施形態］
まず、第１実施形態について説明する。図１、図２に示すように、本実施形態に係る電光表示装置１０は、本実施形態に係る電光表示板１２と、電光表示板１２の各光源の点滅を制御する第１制御装置１４、第２制御装置１６とを備えている。
【００１９】
電光表示板１２は、歩行者用の通路Ｒの一方向Ｆから視認可能なように主光の中心方向が向けられた一方向点光源群２２と、通路Ｒの他方向Ｂ（一方向Ｆとは反対の方向）から視認可能なように主光の中心方向が向けられた他方向点光源群２４と、を有する。通路Ｒは、車両用道路などの建物外の通路であっても、地下道や建物内などの歩行者用通路であってもよい。なお、主光の発光範囲は、図１に示すように、光源中心方向Ｃに対して所定角度α（例えば１５°）の範囲内とされている。
【００２０】
本実施形態では、一方向点光源群２２及び他方向点光源群２４を構成する各点光源はＬＥＤ（発光ダイオード）２６で構成される。そして、一方向点光源群２２及び他方向点光源群２４では、ＬＥＤ２６が互いに平行な複数列で配置されているとともに、一方向点光源群２２の各列と、他方向点光源群２４の各列とが交互に配列され、各ＬＥＤ２６はドットマトリックス配置されている。
【００２１】
また、図２に示すように、電光表示板１２は、平面内に形成された剛性の格子状の基台３０と、基台３０上に交互に配列された、細長状若しくは短冊状の本実施形態に係る一方向発光ユニット３２、及び、細長状若しくは短冊状の本実施形態に係る他方向発光ユニット３４と、を備えている。
【００２２】
基台３０は、例えばステンレス鋼で構成された格子に塗装を施したものである。一方向発光ユニット３２及び他方向発光ユニット３４を基台３０に設置するには、接着剤で固定してもよいし、発光ユニットを着脱自在に保持する保持具を基台３０に予め配置しておいてもよい。
【００２３】
一方向発光ユニット３２は、一方向Ｆから視認する視認者側（以下、Ｆ側という）にＬＥＤ光が放散されるように切欠３５が形成された第１ハウジング３６（図３も参照）を備えている。切欠３５は、第１ハウジング３６の長手方向に沿って細長状に形成されている。第１ハウジング３６は側面視で略矩形状であり、切欠３５は、第１ハウジング３６のハウジング角部３６Ｅが切り欠かれた形状とされている。
【００２４】
また、一方向発光ユニット３２は、第１ハウジング３６内で略対角線上に配置された基板３８と、基板３８上に、切欠３５から光をハウジング外方へ放散するように切欠３５に沿って一列に点光源列として配置された複数のＬＥＤ２６と、各ＬＥＤ２６に電気接続されたハーネス２８と、を備えている。そして、各一方向発光ユニット３２のＬＥＤ２６によって一方向点光源群２２が構成されている。
【００２５】
更に、一方向発光ユニット３２は、第１ハウジング３６に装着されたキャップ３９を有する。このキャップ３９には、ＬＥＤ２６の頭部が挿通する挿通孔３９Ｈが形成されており、キャップ３９が第１ハウジング３６に装着されることでＬＥＤ２６の第１ハウジング３６に対する角度位置を設定位置に固定している。
【００２６】
詳細に説明すると、図３に示すように、キャップ３９では、弾性変形可能な脚部３９Ｌ１、３９Ｌ２が挿通孔３９Ｈの周囲からキャップ内側に延び出している。脚部３９Ｌ１、３９Ｌ２の先端部外壁側には、それぞれ、切欠３５のハウジング内側に当接する凸部３９Ｔ１、３９Ｔ２が形成されている。この構成により、図４に示すように、脚部３９Ｌが切欠３５に挿入されると、凸部３９Ｔが切欠３５の縁部３５Ｅに当接して脚部３９Ｌが脚部内側に撓む。そして、更に、凸部３９Ｔが縁部３５Ｅを越えてハウジング内に挿入されると、脚部３９Ｌ１、３９Ｌ２の撓みの戻りにより凸部３９Ｔ１、３９Ｔ２がハウジング内側（縁部３５Ｅの内側）にそれぞれ当接して脚部３９Ｌが切欠３５に係合し、キャップ３９が第１ハウジング３６に固定される。この結果、第１ハウジング３６に対してキャップ３９が移動することが防止される。そして、ＬＥＤ２６の頭部２６Ｈが挿通孔３９Ｈから突出しており、ＬＥＤ２６の頭部２６Ｈよりも基端側が第１ハウジング３６及びキャップ３９によって露出していない状態にされている。
【００２７】
キャップ３９の内側形状は、第１ハウジング３６の外形形状に合わせて形成されている。本実施形態では、キャップ３９は、ハウジング頭面３６Ａ（基台３０とは反対側の面）に当接するキャップ頭部３９Ａと、ＬＥＤ２６が突出している側のハウジング側面３６Ｃに当接するキャップ側部３９Ｃと、キャップ頭部３９Ａとキャップ側部３９Ｃとに連続し、上記の挿通孔３９Ｈが形成されているキャップ切欠遮蔽部３９Ｂと、を有する。
キャップ頭部３９Ａには庇（遮光板部）３９Ｖが形成されている。この庇３９Ｖは、キャップ切欠遮蔽部３９Ｂよりも更にＬＥＤ２６の頭部２６Ｈ側に延び出した部位である。なお、庇３９Ｖの長さ、角度等の寸法は、ＬＥＤ２６からの光放散角度に応じて変更可能である。
【００２８】
本実施形態では、図３に示すように、基板表面側（切欠３５の側）及び基板裏面側では、何れも両端部に樹脂封止部４１（図２参照）が形成されている。この構成により、基板両面側で、基板３８と第１ハウジング３６と樹脂封止部４１とで空洞４２（図３参照）が形成されており、一方向発光ユニット３２の軽量化が図られている。
【００２９】
そして、隣り合うＬＥＤ２６の間を構成する部分は、キャップ３９によって覆われている。すなわち、第１ハウジング３６の切欠３５側はキャップ３９及びＬＥＤ２６によってすべて覆われている。
【００３０】
他方向発光ユニット３４の構成は一方向発光ユニット３２と同様であるが、他方向Ｂから視認する視認者側（以下、Ｂ側という）にＬＥＤ光が放散されるように、一方向発光ユニット３２に比べ、基台３０と平行な平面内で１８０°反転された位置に配置されている。そして、各他方向発光ユニット３４のＬＥＤ２６によって他方向点光源群２４が構成されている。他方向発光ユニット３４を構成する第２ハウジング３７（第１ハウジング３６を１８０°反転させたもの）にも、Ｂ側にＬＥＤ光が放散されるように切欠３５が形成されている。
【００３１】
なお、一方向発光ユニット３２の各ＬＥＤ２６の列方向位置は各列で互いに同じ位置である。他方向発光ユニット３４の各ＬＥＤ２６の列方向位置も各列で互いに同じ位置である。
【００３２】
また、第１制御装置１４は、一方向点光源群２２の各ＬＥＤ、すなわち全ての一方向発光ユニット３２の各ＬＥＤ２６の点滅を制御する。第２制御装置１６は、他方向点光源群２４の各ＬＥＤ、すなわち全ての他方向発光ユニット３４の各ＬＥＤ２６の点滅を制御する。従って、Ｆ側とＢ側とで、別々の表示をすることができる、例えば、Ｆ側には「一方通行」の文字又は記号を表示し、Ｂ側には「進入禁止」の文字又は記号を表示をすることができる。
【００３３】
以下、図５を用いて、平板状の電光表示板１２で、通路Ｒの一方向Ｆ及び他方向Ｂから、電光表示板１２の遠方位置でも近接位置でも表示内容を視認できる原理を説明する。
【００３４】
電光表示板１２が天井面５０に沿って設けられているとする。そして、電光表示板１２には、一方向Ｆから見て、一方向点光源群２２を構成するＬＥＤのうち、視認者Ｍに最も遠い位置Ｐ１にＬＥＤ２６Ａが配置され、最も近い位置Ｐ２にＬＥＤ２６Ｂが配置されているとする。
【００３５】
電光表示板１２からの遠方位置Ｄで視認者Ｍが一方向Ｆから電光表示板１２を見たときには、ＬＥＤ２６の指向性により、ＬＥＤ２６ＡもＬＥＤ２６Ｂも視認者Ｍには同等の明るさに視認される。視認者Ｍが他方向Ｂから遠方位置で電光表示板１２を見ても、同様の原理で視認される。
【００３６】
電光表示板１２からの近接位置Ｎで視認者Ｍが一方向Ｆから電光表示板１２を見たときには、ＬＥＤ２６の粒（発光部）の広い側壁から周囲への散乱光（漏れ光）により、ＬＥＤ２６ＡもＬＥＤ２６Ｂも視認者Ｍに十分に視認される。視認者Ｍが他方向Ｂから近接位置で電光表示板１２を見ても同様に視認することができる。
【００３７】
従って、天井面５０やＬＥＤ２６の粒の側壁面など、視認者Ｍの進行方向に沿った平面内に薄板状の電光表示板１２を配置すると、通路Ｒの一方向Ｆ及び他方向Ｂの両方から、遠方位置であっても近接位置であっても、電光表示板１２の表示内容を視認することができる。しかも、第１制御装置１４で一方向点光源群２２の各ＬＥＤ２６の点滅を制御し、第２制御装置１６で他方向点光源群２４の各ＬＥＤ２６の点滅を制御するので、Ｆ側及びＢ側に互いに異なる内容で表示することができる。
【００３８】
以上説明したように、本実施形態によれば、キャップ３９を第１ハウジング３６（第２ハウジング３７についても同じ）に装着することで、第１ハウジング３６に対するＬＥＤ２６の角度位置が設定位置とされる。従って、第１ハウジング３６に対するＬＥＤ２６の中心線Ｃの角度位置を短時間で簡単に設定位置とすることができる。本実施形態では、第１ハウジング３６の幅方向（短手方向）Ｆ方向あるいはＢ方向に対して仰角θが３０°となる角度位置に設定している。また、基台３０が第１ハウジング３６の略対角線上に配置され、キャップ３９の挿通孔３９ＨによってＬＥＤ２６の仰角θの微調整を行う構成にすることができるので、基板３８の大まかな設定位置、及び、その設定位置での基板３８の支えを第１ハウジング３６で行うことができる。
【００３９】
更に、キャップ３９の脚部３９Ｌを切欠３５に差し込むことで、キャップ３９を第１ハウジング３６にワンタッチで装着することができる。
また、庇３９ＶによってＬＥＤ２６からの光（ＬＥＤ光）の放散角度範囲を設定範囲にすることができる。
【００４０】
また、キャップ頭部３９Ａ及びキャップ側部３９Ｃによってハウジング頭面３６Ａ及びハウジング側面３６Ｃが覆われる。従って、乱反射しない材質でキャップ３９を形成することで、キャップ３９で覆われたハウジング部分での乱反射が防止される。そして、ハウジング頭面３６Ａ及びハウジング側面３６Ｃに乱反射防止のための施工をする必要がない。
また、１枚の電光表示板１２で、一方向Ｆ及び他方向Ｂの両方から、遠方位置であっても近接位置であっても視認可能なように電光表示することができる。
【００４１】
また、本実施形態では、上記仰角θが３０°となる例で説明したが、この角度は、ＬＥＤ２６の中心線の設定方向に応じて変更可能である。すなわち、３０°よりも大きくてもよいし（図６（Ａ）参照）、小さくてもよい。また、図６（Ａ）に示すように、第１ハウジング３６に比べてハウジング高さＨが低い第１ハウジング５６を有する一方向発光ユニット５２（他方向発光ユニットでも同様）とすることで、発光ユニットの基台３０からの高さを低くしてもよい。この場合、第１ハウジング５６の寸法に合わせたキャップ５９をキャップ３９に代えて設ける。
【００４２】
また、図６（Ｂ）に示すように、脚部３９Ｌが形成されないキャップ６０を用い、接着剤などで第１ハウジング３６に取付ける形態であってもよい。
また、一方向発光ユニット３２と他方向発光ユニット３４とで、ＬＥＤ２６のピッチ、ハウジング長、断面形状、配置数などを互いに異ならせてもよい。
また、庇３９Ｖを設けずに、キャップ頭部３９Ａ及びキャップ側部３９ＣでＬＥＤ光の放散角度範囲を限定する構成にすることも可能である。
【００４３】
また、本実施形態では、通路Ｒの一方向Ｆと他方向Ｂとの両方から視認できる例で説明したが、ＬＥＤ２６の指向方向の角度を調整することにより、通路の両方向に限らず、一方向と、これと異なる他方向との両方向に表示させることが可能である。
【００４４】
［第２実施形態］
次に、第２実施形態について説明する。図７、図８に示すように、本実施形態では、ＬＥＤ２６が配置された基板３８に予めキャップ６９を取付けた基板・キャップ取付体７０を形成しておく。
【００４５】
図８に示すように、このキャップ６９は、第１ハウジング３６を構成するハウジング頭部３６Ｕの外側、すなわちハウジング頭面３６Ａに当接するキャップ頭部６９Ａと、ハウジング頭部３６Ｕの内側に当接するキャップ内側部６９Ｄとを備えている。キャップ頭部６９Ａとキャップ内側部６９Ｄとの間には、第１ハウジング３６の厚みｔに相当する隙間ｄが形成されている。
【００４６】
キャップ頭部６９Ａの裏面側には、ハウジング頭面３６Ａに摺接することで摩擦熱で溶解してハウジング頭面３６Ａに溶着する膨らみ部６９Ｐが形成されている。この膨らみ部６９Ｐは、例えばキャップ長手方向に沿って細長状に複数本形成されている。
【００４７】
本実施形態では、図７に示すように、基板・キャップ取付体７０を第１ハウジング３６の長手方向端部からハウジング内へスライド移動させつつ差し込む。これにより、図８に示すように、膨らみ部６９Ｐのハウジング側がハウジング頭面３６Ａに摺接して溶解しつつ、キャップ２９が第１ハウジング３６に係合し、更に、溶解した膨らみ部６９Ｐがハウジング頭面３６Ａに溶着する。
【００４８】
なお、図８では、膨らみ部６９Ｐを断面矩形状で示したが、ハウジング頭部３６Ｕにかけて幅が徐々に細くなる断面三角形状、断面Ｕ字状、断面台形状などにすることで、更に溶着させ易くすることが可能である。
【００４９】
［第３実施形態］
次に、第３実施形態について説明する。図９に示すように、本実施形態では、第１実施形態の変形例として説明した一方向発光ユニット５２（図６（Ａ）参照）に比べ、第１ハウジング５６の切欠３５に係合するキャップ７９の構成が異なる。キャップ７９は、脚部３９Ｌに代えて、球状の先端部７９Ｔを有する脚部７９Ｌを備えている。
【００５０】
本実施形態では、第１実施形態のようにキャップ７９の脚部７９Ｌを切欠３５にハウジング外側から差し込むことで、脚部７９Ｌを切欠３５に係合させてキャップ７９を装着して一方向発光ユニット７２（他方向発光ユニットも同様）を形成する。
このようにして形成された一方向発光ユニット７２や他方向発光ユニットでは、第１実施形態と同様の効果を奏する。更に、球状の先端部７９Ｔでキャップ７９が係合しているので、キャップ７９の取り外しが容易である。
【００５１】
なお、第２実施形態のようにキャップ７９を基板７８に取り付けて基板・キャップ取付体を形成し、これを第１ハウジング５６に対しスライド移動させて装着する形態にしてもよい。これにより、第２実施形態と同様の効果を奏することができる。
【００５２】
［第４実施形態］
次に、第４実施形態について説明する。図１０に示すように、本実施形態では、第１実施形態の変形例として説明した一方向発光ユニット５２（図６（Ａ）参照）に比べ、キャップ８９の構成が異なる。キャップ８９は、キャップ外方に向けて先端部がＬ状に曲げられた脚部８９Ｌを備えている。
図１１に示すように、キャップ８９を装着するには、第１実施形態と同様、脚部８９Ｌを切欠３５に挿入することでワンタッチで装着することができる。
本実施形態であっても、第１実施形態と同様の効果を奏することができる。
【００５３】
［第５実施形態］
次に、第５実施形態について説明する。図１２に示すように、本実施形態では、第４実施形態に比べ、キャップ９９の構成が異なる。このキャップ９９は、庇３９Ｖ（図３参照）に代えて庇９９Ｖを形成したものである。
本実施形態では、庇９９Ｖは、キャップ頭部９９Ａとキャップ切欠遮蔽部９９Ｂとの連続部から上方に延び出す第１庇部９９Ｖ１と、キャップ側部９９Ｃとキャップ切欠遮蔽部９９Ｂとの連続部から水平方向に延び出す第２庇部９９Ｖ２と、で構成されている。
本実施形態により、ＬＥＤ２６の放散角度が庇９９Ｖによって規定される。
【００５４】
庇９９Ｖの厚みや形状は適宜変更可能である。図１３に示すような庇１０９Ｖ１、１０９Ｖ２を設けて、庇１０９Ｖ１とキャップ頭部１０９Ａの外表面１０７Ａや庇１０９Ｖ２とキャップ側部１０９Ｃとの外表面１０７Ｃが平面状に連続している形状にしてもよい。また、図１４に示すように、低い庇１１９Ｖを設けてもよい。また、図１５に示すように、庇１２９Ｖの長さを延ばしてＬＥＤ光の放散角度範囲を更に限定してもよい。また、図１６に示すように、厚みを増大させることで強度を高めた庇１３９Ｖを設けてもよい。なお、庇１３９Ｖの広がり角度は、ＬＥＤ２６からの光放散角度に合わせて適宜変更することができる。
【００５５】
［第６実施形態］
次に、第６実施形態について説明する。図１７に示すように、本実施形態では、第５実施形態に比べ、ＬＥＤ２６の光放散側に透明窓１４０を配置したものである。
本実施形態では、一方向発光ユニット１４２を構成するキャップ１４９は、キャップ頭部１４９Ａとキャップ切欠遮蔽部１４９Ｂとの連続部から上方に延び出す第１庇部１４９Ｖ１と、キャップ側部１４９Ｃとキャップ切欠遮蔽部１４９Ｂとの連続部から水平方向に延び出す第２庇部１４９Ｖ２と、で構成されている。
【００５６】
また、一方向発光ユニット１４２は、ＬＥＤ２６の光放散側に上記の透明窓１４０を備えている。この透明窓１４０は、第１庇部１４９Ｖ１の先端部及び第２庇部１４９Ｖ２の先端部で保持されている。透明窓１４０は、紫外光（ＵＶ光）を通過させない窓であり、紫外光を遮断する膜が窓表面に形成されていてもよいし、紫外光を通さない材質で透明窓１４０が形成されていてもよい。
【００５７】
本実施形態により、太陽光などが含む紫外光がＬＥＤ２６に照射されないので、ＬＥＤ２６の耐久性が向上する。
透明窓１４０の保持強度を上げるために、例えば図１８に示すように、厚みを増大させるとともに外側に湾曲した庇１５９Ｖ１、１５９Ｖ２を有するキャップ１５９を設けてもよい。
【００５８】
［第７実施形態］
次に、第７実施形態について説明する。図１９に示すように、本実施形態に係る一方向発光ユニット２３２は、平坦な発光面２２６Ｓを有するＬＥＤ２２６と、このＬＥＤ２２６が取付けられた基板２３８と、基板２３８及びＬＥＤ２２６の基端部２２６Ｇを収容する側面視略矩形状の第１ハウジング２５６と、を有する。第１ハウジング２５６の角部には、ＬＥＤ２２６の光を放散する切欠２３５がハウジング長手方向に沿って形成されている。ＬＥＤ２２６が平坦な発光面２２６Ｓを有するので、ＬＥＤ２２６の径は第１実施形態で説明したＬＥＤ２６に比べて若干大きい。このため、切欠２３５の幅もこれに合わせて若干大きくされている。
【００５９】
また、一方向発光ユニット２３２は、切欠２３５に係合するキャップ２３９と、キャップ２３９に保持された透明窓２４０とが設けられている。
【００６０】
キャップ２３９は、第１実施形態と同様に、キャップ頭部２３９Ａ、キャップ側部２３９Ｃ、及び、キャップ切欠遮光部２３９Ｂを有する。また、切欠２３５に係合する弾性変形可能な脚部２３９Ｌを有しており、脚部２３９Ｌの先端部外壁側には、切欠２３５のハウジング内側に当接する凸部２３９Ｔが形成されている。
【００６１】
更に、キャップ２３９は、キャップ頭部２３９Ａとキャップ切欠遮蔽部２３９Ｂとの連続部から上方に延び出して透明窓２４０の一方の側縁部を保持する第１保持部２３９Ｖ１と、キャップ側部２３９Ｃとキャップ切欠遮蔽部２３９Ｂとの連続部から水平方向に延び出して透明窓２４０の他方の側縁部を保持する第２保持部２３９Ｖ２と、を有する。
他方向発光ユニットの構成は一方向発光ユニット２３２と同様である。
【００６２】
本実施形態により、面発光型のＬＥＤ２２６を有する発光ユニットであっても、第１実施形態と同様の効果を奏することができる。
【００６３】
なお、金属のボディ部をキャップ２３９の内側に接合させて、このボディ部を第１ハウジング２５６の外壁側に接着させてもよい。このことは、ＬＥＤ２２６の径が大きくて脚部２３９Ｌを切欠２３５に差し込むことができない場合に、キャップ２３９を固定する上で特に有効である。
また、ボディ部は金属に限らず、プラスチック材等の他の材質であってもよい。更には、キャップ２３９の材質が複数種類で構成されていてもよい。
【００６４】
［第８実施形態］
次に、第８実施形態について説明する。図２０に示すように、本実施形態では、第１実施形態に比べ、キャップがハウジングに係合する形態である。
【００６５】
本実施形態に係る発光ユニット３３２（一方向発光ユニットや他方向発光ユニット）は、第１実施形態で説明した第１ハウジング３６と、ＬＥＤ２６が取付けられた基板３８と、を備えている。そして、発光ユニット３３２は、第１ハウジング３６に係合するキャップ３３９を備えている。
【００６６】
図２０〜図２２に示すように、キャップ３３９は、ハウジング頭面３６Ａに当接するキャップ頭部３３９Ａと、ハウジング側面３６Ｃに当接するキャップ側部３３９Ｃと、キャップ頭部３３９Ａとキャップ側部３３９Ｃとに連続し、上記の挿通孔３９Ｈが形成されているキャップ切欠遮蔽部３３９Ｂと、を有する。
【００６７】
キャップ３３９では、弾性変形可能な脚部３３９Ｌ１、３３９Ｌ２がキャップ内側に延び出している。脚部３３９Ｌ１、Ｌ２は、キャップ内壁に連続し切欠３５に対して互いに広がるように延び出している基部３３９Ｂ１、３３９Ｂ２を有する。更に、脚部３３９Ｌ１、３３９Ｌ２は、基部３３９Ｂ１、３３９Ｂ２にそれぞれ連続し基部３３９Ｂ１、３３９Ｂ２との連続部では外側（ハウジング内壁側）に角部３３９Ｋ１、３３９Ｋ２を形成している先端部３３９Ｔ１、３３９Ｔ２を有する。
【００６８】
この構成により、脚部３３９Ｌが切欠３５に挿入されると、角部３３９Ｋ（角部３３９Ｋ１、３３９Ｋ２）が切欠３５の縁部３５Ｅに当接して脚部３３９Ｌが脚部内側に撓む。そして、更に、角部３３９Ｋが縁部３５Ｅを越えてハウジング内に挿入されると、脚部３３９Ｌ１、３３９Ｌ２の撓みの戻りにより角部３３９Ｋ１、３３９Ｋ２がハウジング内側（縁部３５Ｅの内側）にそれぞれ当接して脚部３３９Ｌが切欠３５に係合し、キャップ３３９が第１ハウジング３６に固定される。この結果、第１ハウジング３６に対してキャップ３３９が移動することが防止される。そして、ＬＥＤ２６の頭部２６Ｈが挿通孔３９Ｈから突出しており、ＬＥＤ２６の頭部２６Ｈよりも基端側が第１ハウジング３６及びキャップ３９によって露出していない状態にされている。
【００６９】
図２１、図２２に示すように、キャップ切欠遮蔽部３３９Ｂは、各ＬＥＤ２６の頭部２６Ｈの周囲を囲む壁３４２が形成されている。そして、壁３４２のうちキャップ側部３３９Ｃに隣接する壁部分３４２Ｐの寸法は、壁部分３４２Ｐとキャップ側部３３９Ｃとの間に隙間３４６が形成されるように設定されている。この構成により、壁３４２内に入った液（主に、雨や雪による水）は、毛管現象により隙間３４６からキャップ外部へ流出する。
【００７０】
以上説明したように、本実施形態では、キャップ３３９の脚部３３９Ｌ１、３３９Ｌ２により、キャップ３３９を第１ハウジング３６にワンタッチで装着させることができる。また、各ＬＥＤ２６の頭部２６Ｈを囲む壁３４２内に入った液を、毛管現象により隙間３４６からハウジング外部へ流出させることができる。
【００７１】
なお、図２３に示すように、第１ハウジング３６の縁部３５Ｅの内側に当接しキャップ３３９とで縁部３５Ｅを挟持する挟持部材３６０を、キャップ長手方向に隣り合う脚部同士の間に配置してもよい。この場合、キャップ３３９と挟持部材３６０とを例えばボルト３６２などで結合して締付ける。これにより、キャップ３３９が第１ハウジング３６から不用意に外れることがない。
【００７２】
また、図２４に示すように、キャップ側部３３９Ｃに外面に波状の凹凸部３７０を形成してもよい。この場合、凹凸部３７０の波は、キャップ短手方向に波を打つように形成することが好ましい。これにより、発光ユニットを上下方向に向けて配列した場合、キャップ側部３３９Ｃに溜まった雪や雨水は、重力でキャップ長手方向に沿って案内され易い。
【００７３】
なお、本実施形態では、ハウジングとして第１ハウジング３６で説明したが、他方向発光ユニットではハウジングとして第２ハウジング３７を用いる。
【００７４】
［第９実施形態］
次に、第９実施形態について説明する。本実施形態では、発光ユニットを配列して電光表示板を製造することの説明である。本実施形態では、第８実施形態で説明した発光ユニット３３２を用いて電光表示板を製造することを説明する。
【００７５】
図２５〜図２７に示すように、発光ユニット３３２を配列するには、本実施形態では、２本の枠部材４００と、枠部材４００にそれぞれ取付けられた端部保持部材４１０とで挟持する。
【００７６】
枠部材４００を構成する中フレーム４０２には、端部保持部材４１０を保持する切欠部４０８が配列されている。本実施形態では、一方の枠部材４００の中フレーム４０２を横方向（水平方向）に向けて載置し（図２５（Ａ）参照）、まず端部保持部材４１０を切欠部４０８に順次差し込む（図２５（Ｂ）参照）。
【００７７】
そして、第１ハウジング３６を各端部保持部材４１０に差し込んでいく（図２５（Ｃ）参照）。更に、ＬＥＤ２６が取付けられている基板３８を第１ハウジング３６内に差し込み（図２５（Ｄ）参照）、枠部材４００を構成する外フレーム４０４を被せる（図２５（Ｅ）参照）。そして、キャップ３３９を装着する（図２５（Ｆ）、図２６、図２７参照）。なお、この後、紫外光を遮蔽するＵＶフィルタ４１６（図２５（Ｇ））を装着して、ＬＥＤ２６に紫外光が照射されることを防止する構成にしてもよい。この場合、図２８に示すように、下端側の端部保持部材４１０に排水溝４２０を形成しておくことが好ましい。
【００７８】
その後、配列された発光ユニット３３２の他方側に端部保持部材４１０を差し込み、他方の枠部材４００を組み込む。
本実施形態により、電光表示板を容易に組み立てることができる。
【００７９】
なお、本実施形態では、ハウジングとして第１ハウジング３６で説明したが、他方向発光ユニットではハウジングとして第２ハウジング３７を用いる。
【００８０】
［第１０実施形態］
次に、第１０実施形態について説明する。本実施形態では、第８実施形態に比べ、キャップに脚部を形成しない図２９に示すようなキャップ５３９を用いる。このキャップ５３９は、ハウジング（第１ハウジング３６）の背面側上部の角部３６ＫＵに引っ掛けられる引っ掛け部５３９Ｄと、ハウジングの正面側下部の角部３６ＫＦに引っ掛けられる引っ掛け部５３９Ｅと、を有する。
これにより、脚部３３９Ｌ１、３３９Ｌ２を形成しなくてもワンタッチでキャップ５３９をハウジングに装着することができ、しかも第１実施形態と同様の効果を奏することができる。
【００８１】
［第１１実施形態］
次に、第１１実施形態について説明する。本実施形態では、第１０実施形態に比べ、角部３６ＫＵを覆うとともにハウジング（第１ハウジング３６）の背面側下部の角部３６ＫＬに引っ掛けられるキャップ背面部５３９Ｇを引っ掛け部５３９Ｄに代えて有するキャップ５６９を用いる。
これにより、第１０実施形態に比べ、キャップ５６９をハウジングにより強固に係合させることができる。
【００８２】
以上、実施形態を挙げて本発明の実施の形態を説明したが、これらの実施形態は一例であり、要旨を逸脱しない範囲内で種々変更して実施できる。また、本発明の権利範囲がこれらの実施形態に限定されないことは言うまでもない。
【符号の説明】
【００８３】
１０  電光表示装置
１２  電光表示板
１４  第１制御装置
１６  第２制御装置
２６  ＬＥＤ
２６Ｈ  頭部
３２  一方向発光ユニット（発光ユニット）
３４  他方向発光ユニット（発光ユニット）
３５  切欠
３６  第１ハウジング（ハウジング）
３６Ｅ  ハウジング角部
３７  第２ハウジング
３８  基板
３９  キャップ
３９Ｈ  挿通孔
３９Ｌ１、Ｌ２  脚部（係合部）
５２  一方向発光ユニット
５６  第１ハウジング
５９  キャップ
６０  キャップ
６９  キャップ
７０  基板・キャップ取付体
ｔ  厚み
ｄ  隙間
７９  キャップ
７９Ｌ  脚部
７８  基板
８９  キャップ
８９Ｌ  脚部
９９  キャップ
９９Ｖ  庇
１０９Ｖ１  庇
１０９Ｖ２  庇
１１９Ｖ  庇
１２９Ｖ  庇
１３９Ｖ  庇
１４９Ｖ１  第１庇部
１４９Ｖ２  第２庇部
１５９Ｖ１  庇
１５９Ｖ２  庇
２３２  一方向発光ユニット
２２６  ＬＥＤ
２２６Ｇ  基端部
２３５  切欠
２３８  基板
２３９  キャップ
２３９Ｌ  脚部（係合部）
２５６  第１ハウジング
３３２  発光ユニット
３３９  キャップ
３３９Ｌ  脚部
５３９  キャップ
５６９  キャップ
【図１】
0005462644.tif 000002
【図２】
0005462644.tif 000003
【図３】
0005462644.tif 000004
【図４】
0005462644.tif 000005
【図５】
0005462644.tif 000006
【図６】
0005462644.tif 000007
【図７】
0005462644.tif 000008
【図８】
0005462644.tif 000009
【図９】
0005462644.tif 000010
【図１０】
0005462644.tif 000011
【図１１】
0005462644.tif 000012
【図１２】
0005462644.tif 000013
【図１３】
0005462644.tif 000014
【図１４】
0005462644.tif 000015
【図１５】
0005462644.tif 000016
【図１６】
0005462644.tif 000017
【図１７】
0005462644.tif 000018
【図１８】
0005462644.tif 000019
【図１９】
0005462644.tif 000020
【図２０】
0005462644.tif 000021
【図２１】
0005462644.tif 000022
【図２２】
0005462644.tif 000023
【図２３】
0005462644.tif 000024
【図２４】
0005462644.tif 000025
【図２５】
0005462644.tif 000026
【図２６】
0005462644.tif 000027
【図２７】
0005462644.tif 000028
【図２８】
0005462644.tif 000029
【図２９】
0005462644.tif 000030
【図３０】
0005462644.tif 000031